(57)【特許請求の範囲】
【請求項１】
眼科測定データを取得する方法であって、
ＯＣＴ測定ビームを用いて被験者の瞳孔上の異なる進入位置にて複数のＯＣＴ  Ｂスキャンを収集することであって、測定システムの座標と瞳孔進入位置の座標との間には関係が存在する、前記収集すること、
測定される組織に対する測定ビームの角度を特徴付ける各測定結果の代表値を決定すること、
組織を撮像するのに最適な代表値と、該最適な代表値に対応する瞳孔進入位置とを識別すること、
前記測定システムを制御して、決定された前記最適な代表値に対応する瞳孔進入位置にて、後続の測定結果を取得すること
を備える、方法。
【請求項２】
前記最適な代表値は、最小の傾斜で測定された値であること、
前記代表値は、信号の強度に基づくものであること、
前記瞳孔進入位置は、眼内の特定の構造物の視覚化を最適化するように選択されたものであること、
前記瞳孔進入位置は、前記瞳孔を含んだ眼の画像を使用して決定および制御されたものであること、
前記最適な代表値は、１つ以上の測定結果の品質を特徴付ける複数の代表値から識別されたものであること、
前記最適な代表値は、複数の代表値の表示に基づいて使用者により識別されたものであること
のうちの少なくとも一つを特徴とする請求項１に記載の方法。
【請求項３】
光コヒーレンストモグラフィー（ＯＣＴ）システムを使用して、患者の眼の３次元画像データを収集する方法であって、前記ＯＣＴシステムは、放射ビームを、瞳孔を通るように導くスキャナと、ＯＣＴデータを分析するプロセッサとを含み、前記方法は、
前記ＯＣＴシステムによって一連の測定結果を取得することであって、前記放射ビームは、異なる位置において瞳孔に進入するように導かれている、前記取得すること、
前記プロセッサにおいて、対象となる組織に対するＯＣＴビームの入射角度に基づいて前記一連の測定結果の品質を比較して、最適な瞳孔進入位置を決定すること、
前記決定された最適な瞳孔進入位置に配置された前記放射ビームを用いて、眼内構造物の３次元画像データを取り込むこと、
前記３次元画像データを格納または表示すること
を備える、方法。
【請求項４】
前記最適な瞳孔進入位置は、撮像されている眼内構造物の画像における最小の傾斜を取得することに基づくものであること、
前記瞳孔進入位置は、前記瞳孔を含む眼の画像を使用して制御されたものであること
のうちの少なくとも一つを特徴とする請求項３に記載の方法。
【発明の詳細な説明】
【技術分野】
【０００１】
本発明の１つ以上の実施形態は、概して、眼科診断システムにおけるデータ取得の質の改善に関する。特に、本発明の目的は、光コヒーレンストモグラフィー測定を行うのに最良の位置を見付け、さらに、特定タイプの測定に最適な信号が得られ、これを維持できるように、取得時間にわたってその位置を維持する工程を自動化することにより、使用者の介入がなく、媒体混濁を含んだ測定を自動的に行えるようにすることである。さらに、角度依存的な反射を伴った組織撮像に関する実施形態についても検討する。
【背景技術】
【０００２】
光コヒーレンストモグラフィー（ＯＣＴ）撮像では、構造物および疾患の再現性と明瞭な視覚化、ならびに眼内の特徴および層の質量測定を可能にするために、高画質を得る努力がなされてきた。眼の後部分の典型的なＯＣＴ測定は、ビームを瞳孔平面に集束させ、ビームを瞳孔の中心を通って眼内に進入させることで行われる。理論上、これは最大限の進入と放出を可能にし、これにより、最適なＯＣＴ信号と、整列目的のためのさらなるあらゆる信号の収集とが可能になる。取得された網膜画像には、組織学にて識別された層に相関された可変反射率信号の帯が示される。典型的に、網膜組織の区分化は、層間で観察された反射率の差に基づいて行われるが、これらの層に関する情報を使用することもできる。近年、いくつかの眼内構造物の反射率は、ＯＣＴビームに対する網膜の局所傾斜によって異なることが認められた。
【０００３】
中心進入点は、名目上は最適であるが、中心ではない進入点を使用するべき理由が数多く存在する。白内障などの媒体混濁を患った被験者では、測定ビームが混濁を上手く通過できないことがある。このような事例では、時に、測定ビームを別の進入位置から混濁を避けて導くことが可能である。その他には、網膜組織の画像を傾斜しているように見せる眼の形状を有する被験者もいる。瞳孔への異なる進入点を用いることで、平坦な画像が得られる。層測定は典型的にＡスキャンに沿って行われるため、平坦な網膜によって、幾何学的誤差の少ない測定が得られる。さらに、多くのＯＣＴシステムは、ゼロ遅延から先は信号の品質が低下するので、平坦な網膜であることで、Ｂスキャン全体にわたってより優れた均一強度が得られる。最後に、眼内のいくつかの組織は、入射角に依存した反射率を有する。毎回の診察で平坦な網膜を確実に得ることで、複数回の診察にわたり入射角の変動を低減することができ、これにより、画像における測定変動性への指向性反射率の影響が減少する。あるいは、強力な指向性反射率を持った組織を最適に撮像するには、異なる瞳孔進入位置を、さらには層識別の前に複数の入射角（したがって、さらに複数の瞳孔進入位置）を組み合わせて走査することが幾何学によって必要である特定の入射角が必要となることがある。
【０００４】
現在のシステムでは、使用者が瞳孔進入位置を手動で調整して、特定の被験者についての「最良の」進入位置と撮像アプリケーションを試行錯誤して見付けなければならない。これは、ＯＣＴ信号の品質、Ｂスキャン傾斜、基底部画像の品質の間の最適な妥協を得る整列を決定するために、操作者がＯＣＴスキャン、基底部画像、虹彩画像を再考しなければならないという主観的な手順である。現在は実施されていないが、将来的に、使用者は、所与の層の特定の反射率プロファイルに基づいた最適化を行いたいと考えるだろう。
【０００５】
最良の位置が識別されても、眼が動作し、凝視が変化するため、進入位置を走査期間にわたって維持することは困難である。この影響は、通常の走査時間が数秒間で、高密度のデータ塊が得られるＯＣＴシステムにおいて特に重要である。
【０００６】
可能な限りの高画質を達成するために、操作者へのフィードバックを増加させ、データ取得の態様を自動化する様々な試みがなされてきた。網膜撮像の最中に網膜動作を補正する網膜追尾システムが説明されてきた（例えば、２０１２年３月２８日に提出された特許文献１、特許文献２、特許文献３、及び米国特許出願第１３／４３３１２７号を参照されたい。これらの文献は参照により本明細書に援用される）。しかし、網膜追尾方法は、通常、ほとんどの場合において、点走査装置または線走査装置によって得られる眼の裏側の画像を分析することで機能するが、点走査装置および線走査装置も、やはり瞳孔を通過する光学経路に依存するものである。走査進入位置が最適でない場合、網膜追尾に使用される画像も影響を受けるため、追尾の質が低下し、また、基底部画像の品質が大幅に劣化している場合には、全く追尾できなくなる。
【先行技術文献】
【特許文献】
【０００７】
【特許文献１】米国特許出願公開第２００５／００２４５８６号明細書
【特許文献２】米国特許第７４８０３９６号明細書
【特許文献３】米国特許第７８０５００９号明細書
【発明の概要】
【発明が解決しようとする課題】
【０００８】
したがって、本発明の目的は、上述した制限のいくつかを示唆することである。特に、本発明の目的は、ＯＣＴ測定を行う最良の位置を見付け、また、最適な信号を取得および維持できるように、この位置を取得時間にわたって維持する工程を自動化し、これにより測定を自動的に、または使用者の介入なく実施できるようにすることである。本発明はさらに、異なる眼内構造物について最適化された１組の走査パターンを有し、システムが各走査パターンについてビームを最適な角度に自動配置できるようにする。瞳孔を通る複数の位置で実施した走査からの情報も組み合わせることで、眼の総合的な表示を生成することができる。本発明はさらに、後日の診察で取得される走査が、同一の瞳孔進入位置で実施されるようにすることが可能であり、これにより、瞳孔進入位置の変動性が、画像の品質の変動性または質量測定の変動性に与えるあらゆる影響が低減する。
【課題を解決するための手段】
【０００９】
本明細書で述べる本発明は、新規の取得法を用いて、異なる眼内構造物の視覚化を改善するシステムおよび方法に関する。本発明は、上述した問題を示唆し、また、媒体混濁を患った被験者の場合にも、データ取得工程を完全に自動化しつつ、眼科画像の品質の向上も助ける方法を含む。本発明のさらなる態様は、解剖構造に応じて特定の眼内構造物のデータ取得を最適化する方法を提案することである。角度依存的な層の対比を有する組織の撮像と、眼内における白内障のサイズおよび位置のマッピングとに関する本発明の実施形態について述べている。
【００１０】
本発明の１つの態様は、特定のＯＣＴ測定に関連した瞳孔位置を、その測定結果の品質と相関させることである。この相関は多くの潜在的な用途を有しており、その内の３例、すなわち、白内障および他の媒体混濁を介した撮像、眼内の特定の位置を撮像する自動走査アルゴリズムの作成、低傾斜Ｂスキャンの取得を以降で詳細に説明している。当業者は、本発明の基本構成は、本発明の範囲に包括される他の実施可能な実施形態を含むことを容易に理解するだろう。
【００１１】
本明細書で説明する瞳孔追尾システムの主要構成部は図１に示され、また、ここで簡単に述べる。システムは、眼１０３の一部の画像を得るための撮像システム１０１と、画像内の特徴を識別する処理ユニット（瞳孔検出ユニット１０４）と、眼の位置を（ｘ、ｙ、ｚ）において、経時的に追うシステム（瞳孔位置追尾１０５）と、測定ユニット１０２、さらに、最適化された測定位置を決定する測定質決定ユニット１０６とを含む。測定システムおよび撮像システムは、これらの間の関係が知得されるように較正されていると仮定する。好ましい実施形態では、眼の前部を撮像し、特徴は瞳孔であり、一連の画像を用いて眼の位置を追尾する。好ましい実施形態の測定システムは、光コヒーレンストモグラフィー（ＯＣＴ）である。その他のシステムまたはシステムの組み合わせも、本発明の範囲に包括されることが理解されるべきである。本明細書で説明するシステムおよび方法は、自動的に、または機器操作者からの入力を介して実現される。
【００１２】
本発明の第１態様は、白内障および他の媒体混濁がある状態で、眼科測定装置から最適な信号を得ることである。第１ステップとして、眼の瞳孔を含んだ画像を収集する。次に、瞳孔の境界を区分化する。この瞳孔の区分化を用いることで、測定ビームに瞳孔上の異なる位置を通過させることができる。これにより得られた信号を分析して、瞳孔上の、測定に最良の位置を見付けることができる。これは、戻された測定信号の特徴（例えば、戻されたＯＣＴ  Ａスキャンの強度または品質）を見ることで達成できる。最良の位置が決定すると、瞳孔位置追尾が、瞳孔上の特定位置において測定ビームの位置を維持することで、凝視の動作または変化があっても、最適な測定信号の取得を継続できるようにするこれは、任意タイプの瞳孔区分化および凝視追尾によって達成できる。この実施形態は、測定データの品質に基づいた特定の瞳孔進入位置の選択に関するが、この方法は、瞳孔の中心と、使用者が選択した瞳孔位置と、または前回の操作と同一の瞳孔位置とを含む測定ビーム位置を維持するように一般化することができる。
【００１３】
本発明のさらなる態様は、Ｂスキャンの傾斜を、瞳孔の異なる位置で実施する一連の測定結果の品質基準として使用することである。こうすることで、ＯＣＴ測定中に、最小傾斜の瞳孔位置を選択および追尾できるようになる。
【００１４】
本発明の別の態様は、測定が望まれる特定の構造に基づいて、測定ビームの角度を制御する機能である。瞳孔上の測定ビームの位置を変更することで、測定ビームが異なる角度で光軸に到達し、これにより、測定ビームが、異なる眼内構造物に対して垂直に向くようになる。これにより、面に対する測定ビームの方位に敏感である種々の構造のより優れた視覚化が可能になる。瞳孔位置追尾ユニットは、患者の動作の追尾を可能にするので、種々の角度における信頼性の高い走査を得ることができる。さらに、瞳孔位置追尾によって、本システムは、画像を取得した種々の角度を記録し、潜在的に、異なる走査から得た情報を含んだ複合画像を構築することが可能になる。
【図面の簡単な説明】
【００１５】
【図１】本発明の瞳孔追尾システムのブロック図である。
【図２】本発明に使用できる、眼の前部の画像である。
【図３】本発明の様々な実施形態において測定データの取得に使用できるＳＤ−ＯＣＴシステムの基本構成部を示す。
【図４】眼の画像における瞳孔の区分化を示す。
【図５】本発明に適用できる１つの走査パターンを示す。
【図６】本発明に適用できる代替的な走査パターンを示す。
【図７】眼の瞳孔が動作する状態で眼科診断システムの位置を維持する際の、本発明の使用方法を示す。
【図８】同一位置で経時的に画像を収集する上で、瞳孔収縮がどのように問題を引き起こすかを示す。
【図９】瞳孔進入位置を以降の眼の測定においても維持しようと試みる一方で、瞳孔収縮の問題に対処する１つのアプローチを示す。
【図１０】瞳孔進入位置を以降の眼の測定においても維持しようと試みる一方で、瞳孔収縮の問題に対処する代替アプローチを示す。
【図１１】各位置にて取得したＢスキャンにおいて、瞳孔進入位置が網膜の傾斜にどのように影響し得るかを示す。
【図１２】データ中で傾斜を特徴付けるために有用なバイナリ・マスクを生成するために、図１１の画像の区分化をどのように使用できるかを示す。
【図１３】２つのＢスキャンを異なる入射角で撮影した際に生じ得る角度依存的な層の対比を示す。
【図１４】異なる測定と、さらにしたがって異なる入射角での撮像を達成するために、測定システムが患者の眼に対して平行移動する様子を示す。
【図１５】異なる入射角で撮影したＢスキャンの強度を比較する１つの方法を示す。
【図１６】異なる入射角で撮影したＢスキャンの強度を、一方の強度を他方から差し引くことによって比較するための代替方法を示す。
【図１７】異なる入射角で撮影したＢスキャンの強度を、一方の画像を他方から差し引くことによって比較するための別の代替方法を示す。
【図１８】異なる入射角で撮影したＢスキャンの強度を、図１７のものとは逆順序で一方の画像を他方から差し引くことによって比較するための別の代替方法を示す。
【図１９】本発明の一実施形態を使用して、どのように眼の混濁を視覚化できるかを示す。
【発明を実施するための形態】
【００１６】
本明細書で述べる本発明は、眼の瞳孔上の測定位置と測定結果の品質とを互いに関連付けることによって眼の撮像を改善し、さらに、この測定結果の品質に基づいて後続の測定を制御することに関する。これには、白内障または他の媒体混濁を通した撮像、傾斜を最小にしたＢスキャンの取得、選択した眼内構造物のデータの自動取得を含む眼の撮像分野においていくつかの重要な用途がある。本発明によれば、遥かに高品質のデータを取得でき、かつ、操作者による使用の容易さが向上する。それぞれの用途について以下に説明する。
【００１７】
本明細書で述べる本発明は、眼内に測定信号を送り、結果を格納することを要するあらゆる眼科診断装置に適用できるが、本明細書で述べる好ましい実施形態では、光コヒーレンストモグラフィー（ＯＣＴ）の分野に焦点を絞る。ＯＣＴは、媒体内での光の後方散乱または反射性に基づいた、非侵襲性の生体内撮像技術である。ＯＣＴは、ＯＣＴ装置で生成された光線が瞳孔を通って眼を走査し、画像形成工程によって、各位置における光の後方散乱プロファイルを格納する、眼科検査において特に有用である。後方散乱した光の強度は、組織および組織境界の散乱特性を示し、また、光線が視野（ＦＯＶ）を横断する際にグレースケール断面画像が形成される。ＯＣＴ撮像は眼科診断能力を飛躍的に進歩させ、さらに眼解剖学のさらなる理解をもたらした。ＯＣＴ撮像は、平常的な眼科実践の確立された基礎である。
【００１８】
図１は、本発明を要約したブロック図を示す。以下で、各構成要素について詳しく説明する。
撮像システム
本発明の好ましい実施形態では、撮像システム１０１は、眼１０３の前部の画像の取得を担当する。この画像では、角膜、瞳孔、虹彩といった眼の前部にある構造物を見ることができる。この画像の視野は用途に応じて変更できるが、最低でも、上述した構造物を撮像するのに十分な視野を確保する必要がある。図２は、本発明に適用可能な眼の前部のサンプル画像を示す。この画像は、瞳孔２０１、虹彩２０２を示している。角膜は、これらの上を覆っている透明な構造である。簡略化の目的で、この説明の以降の部分では、眼の前部の撮像システムによって得られるこのタイプの画像を「虹彩画像」と呼ぶ。
【００１９】
本発明の別の実施形態では、撮像システムに、画像中に見られる眼の前部からの反射を生み出すことができる可視光または赤外線照明器を設けることも可能である。反射の位置を区分化し、これを眼の凝視の判定に使用することができる。本発明の別の実施形態では、撮像システムは、眼の後部の画像を得るためにも使用できる。これらの画像は、例えば、網膜を追尾し、その動作を補正するために使用できる。
測定システム
測定システム１０２は、対象となる測定結果の取得を担当する。「測定結果」とは必ずしも量的な値である必要はなく、単に画像であってよい訳であるが、しかし、用語「測定結果」は、先述した撮像システムと区別するように用いられる。測定は、患者の眼の、前部分および後部分を含む様々な位置で実施することができる。本発明は、当業者によって、多様な測定システムに同等に適用することが可能である。測定システムは撮像システムと空間的に整列し、つまり、撮像システムおよび測定システムの画像座標間の関係は、較正手順によって上手く確立される。測定システムは撮像システムと時間的に同期させることもできる。本明細書で述べる好ましい実施形態について、測定システムはＯＣＴシステムである。ＯＣＴシステムの基本配置を、図３を参照しながら以下に説明する。ＯＣＴシステムは、ＯＣＴビームが瞳孔に進入して、後極の画像を得る構成であってよい。ＯＣＴシステムは、ＯＣＴビームを瞳孔の位置に関連して配置することにより、前部分の画像を得る構成であってよい。この前部分構成は、外部レンズ、内部レンズを追加するか、または後部撮像構成からレンズを取り外すことで実施可能である。
【００２０】
ＯＣＴのいくつかの実施形態が開発されており、これには時間ドメイン（ＴＤ−ＯＣＴ）、および周波数ドメイン（スペクトルドメイン（ＳＤ−ＯＣＴ）および波長走査（ｓｗｅｐｔ−ｓｏｕｒｃｅ）（ＳＳ−ＯＣＴ））が含まれる。図３は、分光計ベースのＳＤ−ＯＣＴシステムの基本的なブロック図を示す。光源３００は、光ファイバカプラ３０２の入力ポートに接続した短い光ファイバ３０１に広帯域幅光を提供する。光ファイバカプラは、入射する光ビームを干渉計の２本のアーム内へ分光させる。２本のアームの各々は、分光された光ビームをファイバカプラ３０２から患者の眼３０５および基準反射器３０６の各々へ導くための光ファイバ部３０３、３０４を設けている。ビームを照準、集束、走査するために、各ファイバの終端部分におけるサンプルアームと基準アームの両方に、光学素子を内蔵したモジュールが設けられていてよい。サンプル３０５および基準反射器３０６から戻された光波は、サンプルおよび基準アームの同じ光路を通って導かれて戻り、ファイバカプラ３０２内で組み合わされる。組み合わされた光ビームの一部は、光ファイバ３０７の、ファイバカプラ３０２から分光計３０８までの区間を導かれる。分光計内部では、光ビームが格子３０９によって分散し、検出器アレイ３１０上に集束する。収集されたデータがプロセッサ３１１へ送られ、処理済みの結果データがディスプレイ３１２上に表示されるか、または、以後の参照および処理のためにメモリに格納される。図３のシステムは反射性の基準アームを含むが、当業者は、透過性の基準アームを代わりに使用できることを理解するだろう。
【００２１】
サンプルおよび基準アームから戻された光波間の干渉により、光の組み合わせの強度がスペクトルにかけて変化する。干渉スペクトルのフーリエ変換によって、異なる経路長における散乱強度とサンプル中の深度の関数としての散乱のプロファイルが明らかになる（例えば次を参照されたい。Ｌｅｉｔｇｅｂ他著「超高分解能フーリエドメイン光コヒーレンストモグラフィー（Ultrahigh resolution Fourier domain optical coherence tomography）」、「オプティクス・エクスプレス」誌（Optics Express）、１２（１０）巻：２１５６頁、２００４年）。深度の関数としての散乱のプロファイルは、軸方向走査（ＡスキャンまたはＡライン）と呼ばれる。サンプル中の隣接した位置にて測定した１組のＡスキャンにより、サンプルの断面画像（断層画像またはＢスキャン）が生成される。波長可変レーザベースの波長走査型ＯＣＴの動作原理は、分光計ベースのスペクトルドメインＯＣＴシステムの動作原理と非常に類似しているため（例えば次を参照されたい。Ｃｈｏｍａ他著「波長走査の感度優位とフーリエドメイン光コヒーレンストモグラフィー（Sensitivity advantage of swept-source and Fourier domain optical coherence tomography）」、「オプティクス・エクスプレス」誌、１１（１８）巻、２１８３〜２１８９頁、２００３年）、３次元画像データセットを得るためのスペクトルドメインＯＣＴシステムは、波長走査型ＯＣＴシステムまたは任意タイプのＯＣＴシステムであってもよい。
瞳孔検出モジュール
瞳孔検出システム１０４は、画像システムから収集した虹彩画像における瞳孔の位置を検出する。眼の画像から瞳孔を区分化する数多くの方法が提案されてきた（例えば次を参照されたい。Ｗｅｎ−Ｈｕｎｇ  Ｌ．他著「凝視ベースのユーザインタフェイスのためのロバストな瞳孔検出（Robust Pupil Detection for Gaze- Based User Interface）」、インテリジェント・ヒューマン・マシン相互作用における視線検出に関する国際ＩＵＩ２０１０年ワークショップ（International IUI 2010 Workshop on Eye Gaze in Intelligent Human Machine Interaction）、または、Ｚｈｕ他著「曲率アルゴリズムを使用したロバストな瞳孔検出（Robust Pupil Detection using a Curvature Algorithm）」、Computer Methods and Programs in Biomedicine誌、５９巻、１４５〜１５７頁、１９９９年、または、Ｌｉ他著「スターバースト：フィーチャベースとモデルベースのアプローチとを組み合わせたビデオベース瞳追尾のためのハイブリッドアルゴリズム（Starburst: A hybrid algorithm for video-based eye tracking combining feature-based and model-based approaches）」、人間・コンピュータ相互作用の視力ワークショップ２００５年（Vision for Human-Computer Interaction Workshop 2005）。本発明の一実施形態では、眼を可視光で照明することで、収集画像において、瞳孔がこれよりも明るい虹彩領域に対して暗く現れるようにしている。暗い瞳孔は、まず、クラスタリングおよび連結成分のような強度ベースの区分化を使用して、画像中の暗い小魂を見付けることで区分化される。このステップの後に、検出された小魂の縁のアルゴリズムを最適化し、最後に境界点にモデルを適合する。モデルは単純な円または楕円であってよい。
【００２２】
境界点に選択されたモデルを適合して、区分化を非常に高精度にするロバスト法を採用することができる。本発明の目的は、新規の瞳孔区分化法を提案することではなく、むしろ新規の区分化情報の使用方法を提供することである。当業者は、文献において多く述べられている、瞳孔区分化を得るためのアルゴリズムのうちの任意のものの使用を想起することができる。区分化は、本質的に、瞳孔の中心の座標と、任意の所与の点における瞳孔の縁に関する情報とを我々に提供する。図４は、元の虹彩画像４０２上に瞳孔４０１の区分化を重ねた、区分化の一例を示す。
瞳孔位置追尾モジュール
瞳孔位置追尾モジュール１０５は、瞳孔の位置を、側方（ｘ、ｙ）方向、軸（ｚ）方向において理想的に追尾する。一実施形態では、これは、画像システムより収集した複数の虹彩画像における瞳孔の位置を比較することにより、移動する瞳孔のｘ、ｙにおける位置を追尾することで達成される。次に、位置の変化を補正するべく機器または患者を再度位置決めするために、この情報が測定システムへ送り戻される。別の実施形態は、瞳孔区分化と、可視光または赤外線照明器を患者の眼の上に適切に配置して生成された、1つ以上の角膜反射の区分化とを組み合わせた凝視追尾システムである。これらの照明器は、撮像システムの一部として設けることができ、また、画像取得と同期または非同期させることができる。本発明のさらなる実施形態は、瞳孔追尾モジュールと、非常に精密に固視を判定できる網膜追尾モジュールとを組み合わせたものである。これは、患者の凝視をより高精度に判定する。これらの追尾結果の組み合わせを測定モジュールへ送り、データ取得をさらに改善することができる。
測定位置決定の最適化
典型的に、ＯＣＴ測定は、測定ビームを瞳孔の中心を通るように導くことで実施され、これは、本明細書で参照により援用している米国特許出願公開第２００７／０２９１２７７号明細書に記載されている通りである。この事例では、虹彩ビューアが、手動によるＯＣＴ治療ビームの位置決めを補助するために使用されている。瞳孔の中心に白内障が位置している場合、その地点で行うＯＣＴ測定結果の品質を低下させてしまう。本明細書中で述べる本発明の重要な態様は、異なる瞳孔への進入位置により異なる測定信号が得られるので、したがって、異なる進入位置をサンプリングすることで、最適な瞳孔進入位置を見付けることができる、という事実を使用するものである。瞳孔の区分化が可能であることから、これは、最適化された測定位置決定モジュール１０６を介して自動的かつ効率的に行える。
【００２３】
次に、図５に示す進入位置のサンプリングパターンについて検討する。同図は、眼５０１の瞳孔にかけて側方（ｘおよびｙ）へ延びている瞳孔進入位置５０３の均一な格子を示す。これらの瞳孔進入位置の各々はＰＥｉとして示され、ここで、ｉは位置の指数と一致する。各々の瞳孔進入位置について、測定信号を格納することもできる。対応する測定信号はＭｉと示される。
【００２４】
測定信号に最適な条件を定義することで、最適な瞳孔進入位置を決定できる。
【００２５】
【数１】
0006040224.tif 000002
ここで、Ｑ（．）は、任意のタイプの測定信号に定義できる品質関数である。言葉で表現すれば、最良の瞳孔進入位置では最良の測定信号が得られる。図５に示す例では、最良の位置を矢印５０２で示している。「最良」の定義は、品質関数Ｑ（．）の選択によって定義される。フレームワークは汎用のものであるため、任意タイプの測定信号に使用できる。例えば、測定システムがＦＤ−ＯＣＴシステムである場合、各測定信号はＡラインとなる。
【００２６】
Ａラインの測定信号を伴ったＯＣＴシステムでは、品質関数は信号対雑音比（ＳＮＲ）として定義されてよい。
【００２７】
【数２】
0006040224.tif 000003
ＳＮＲは、Ａラインからの信号の、雑音成分への非常に大まかな区分化に基づいて計算できる。ＳＮＲは次式で定義できる。
【００２８】
【数３】
0006040224.tif 000004
ここで、Ｍｅａｎ（）関数は平均関数、Ｍｉｓｉｇｎａｌは測定信号中の有用なデータ、Ｍｉｎｏｉｓｅは測定信号の雑音部分、σ（Ｍｉｎｏｉｓｅ）は雑音の標準偏差である。
【００２９】
これは、本発明の単なる１つの実施形態でしかなく、当業者は、検討中の用途および測定信号タイプに適した品質関数を定義することができる。
さらに、必ずしもサンプリングパターンに均一格子を使用しなくてもよい。図６に別の実施可能性を示し、ここでは、一連の測定が同心円状の走査パターン６０１に沿って実施される。図５および図６は、単に代表的な走査パターンであり、本発明は任意のサンプリングパターンに適用できる点に留意すべきである。
【００３０】
最適な瞳孔進入位置が決定したら、測定システムは所望の瞳孔進入位置を用いてデータを取得できる。すると、瞳孔位置追尾システム１０４が瞳孔位置の追尾に従事できるようになり、これにより、最適な瞳孔進入位置が維持される。この位置は、１つの測定セッション、または１回の診察中ずっと維持することができ、あるいは、正確な測定ビームの位置を繰り返し、もしくは以降の再診察時にも読み出すこともできる。
【００３１】
図７は、瞳孔上の測定ビーム進入点を経時的に維持する様子を示す。左の画像は、眼の初期位置、および決定された「最良の」瞳孔進入位置（矢印７０１）を示す。右の画像は、患者の凝視が逸れ、時間と共に瞳孔が移動した様子を示す（瞳孔は眼の中心に対して右へ移動している）。しかし、瞳孔位置追尾は最適な瞳孔進入位置７０２に確実にロックされるため、データを取得できる。
【００３２】
この項目で述べられた方法は、測定データの品質に基づいて、特定の測定ビーム位置を選択することに焦点を絞っているが、基本的な概念は、あらゆる測定ビーム位置を、経時的に、または複数の診察にわたり維持することであると総括できる。これは、瞳孔の中心、あるいは使用者によって選択された瞳孔上の位置であってよい。さらに、本システムは、ビーム幅の一部または全体的が虹彩によって阻害された場合に起こる口径食を低減するために、使用者によって選択された位置が瞳孔の境界内に確実に納まるようにする。
【００３３】
瞳孔の同一位置を撮像し続けようとする際に起こり得る１つの問題は、虹彩が、異なる明り条件および外部条件に順応しようとして調節を行うことで、瞳孔の大きさが固有に変化する点である。このような事例では、追尾した位置を調整して、測定の続行を可能にする必要があるかもしれない。例えば、図８に示す事例を検討すると、ここでは、２つの時間、ｔ１（左）とｔ２（右）の間で瞳孔が収縮している。この事例では、元の瞳孔位置８０１が維持されていても、位置８０２は収縮した瞳孔８０３の境界の外に在るため、測定信号は格納されない。このような場合、３つのオプションがある。１つ目は、同一の進入位置を得るべく、瞳孔が拡大するまで待つ。
【００３４】
２つ目のオプションは、瞳孔収縮に対処することであり、図９に示すように、最適な瞳孔進入位置を瞳孔中心に関連してスケーリングすることができる。時間ｔ１（左画像）における最適な瞳孔進入位置９０１は、瞳孔の中心から距離ｄ１で離間し、水平に対して角度θにあると仮定する。この特定の角度にある瞳孔の半径をＲ１とする。ここで、瞳孔が時間ｔ２（右画像）にて収縮し、同じ角度に沿った新たな半径がＲ２になったと考えてみる。瞳孔がその中心の周囲で均一に収縮していると仮定すると、新たな最適位置９０２は次式の通りとなる。
【００３５】
【数４】
0006040224.tif 000005
ここで、角度θは、新たな最適な進入位置についても不変のままであると仮定される。
【００３６】
この問題を扱う第３のオプションは、時間ｔ１における初期の瞳孔進入位置１００１を図示した図１０に示される。時間ｔ２において、水平から、角度θにより定義された線に沿って検索し、先行の位置に最も近く、新たな瞳孔境界内に位置する点１００２を見付けることが可能である。
傾斜減少の測定
瞳孔の進入点は、網膜上へのＯＣＴビームの入射角に関連しているため、進入点は取得した画像中の網膜の見掛けの傾斜に関連する。多くの被験者について、最も平坦な取得画像は、瞳孔の中心から進入することで得られたが、いくつかの眼の解剖構造では、瞳孔の中心において平坦なＯＣＴ  Ｂスキャンが得られず、中心から逸れたどこかの位置にて得られる可能性がある。ＯＣＴ  Ｂスキャンを可能な限り平坦（最も傾斜が小さく）で得るために、品質基準を確立できる。ＯＣＴ信号感度はｚ内の組織の位置に基づいて異なるため、撮像されている全ての組織を同一深度に、または可能な限り平坦に設けることが非常に重要である。以下で詳細に述べるように、ＯＣＴの別の特性は、撮像される異なる構造物の指向性反射率によって起こる信号の変化である。平面走査によって、ＯＣＴビームの入射方向が走査工程にわたってほぼ均一になり、これにより、異なる構造物からの反射率間のより優れた比較が得られる。
【００３７】
Ｂスキャンの傾斜は、瞳孔進入位置を変えることで変更できることがわかっている（例えば次を参照されたい。Ｌｕｊａｎ他著「スペクトルドメイン光コヒーレンストモグラフィーを使用するヘンレ線維層の公開（Revealing Henle's Fiber Layer using Spectral Domain Optical Coherence Tomography）」、Investigative Ophthalmology & Visual Science誌、５２（３）巻、２０１１年３月、１４８６〜１４９２頁）。図１１は、網膜の同一の場所の、異なる瞳孔進入位置における複数のＢスキャンを示し、これらは傾斜効果を例証している。図１１（ａ）は、図５（ｂ）のＯＣＴ画像を得た瞳孔上の位置を示す。取得したＯＣＴ  Ｂスキャンは、この眼の解剖構造によるものである。低いｚ位置にあるために低い信号を有するＢスキャンの左側と比べてより高いｚ位置にあるＢスキャンの右側へ向かうより明るい信号があるのが見える。これは、ほとんどのＯＣＴシステムに見られる現象であることに留意されたい。信号強度は、ゼロ遅延から離れるに従って減少する。示された例において、ゼロ遅延はＢスキャンの頂部にあるため、頂部（より高いｚ位置）においてより優れた信号が得られ、底部（より低いｚ位置）に向かってその質が低下してゆくと予測される。この現象は、Ａスキャンの信号特徴が均一になるように、可能な限り傾斜を小さくしてスキャンを行うことが望ましいことの別の理由である。図１１（ｃ）、図１１（ｄ）に示すように、瞳孔進入位置１１０２を調整することで、同じ領域にかけて、傾斜を減少させたＢスキャンを得ることが可能である。図１１（ｄ）に示す取得したＢスキャンの強度は、図１１（ｂ）の傾斜したＢスキャンよりも遥かに均一である。
【００３８】
この事例では、最良の瞳孔進入位置を見付けるために、測定信号が、同じ瞳孔進入位置から取得した単一の（または複数の）Ｂスキャンとして定義される。すると、Ｂスキャンを迅速に区分化して、Ｂスキャン中の傾斜を判定できるようになる。傾斜は品質基準として使用でき、傾斜を最小化する位置を、撮像に最良の場所として選択することができる。
【００３９】
傾斜を決定する１つの実施形態は、通常、Ｂスキャンにおいて最も明るい層である網膜色素上皮層（ＲＰＥ）の大まかな区分化を用いたものである。これを判定する１つの方法は、雑音低減のためのスムージング後に、各々のＡスキャンに沿って最も明るい信号を見付けるというものである。次に、Ｂスキャンにおける異なる区分化された点を線と一致させて、Ｂスキャンの全体傾斜を判定する。
【００４０】
別の実施形態では、対象となる構造の区分化は、走査方向（ｙ勾配）に沿った強度の変化を計算し、これらを閾値化して、バイナリ画像を作成することに基づいて行われる。次に、組織に線を一致させる、例えば組織の下方または上方境界のいずれかに、あるいは、組織の中心のように２つの位置の組み合わせに線を一致させることによって、バイナリ画像を処理して傾斜角を得ることができる。図１２は、図１１（ｂ）、図１１（ｄ）に示したＢスキャンを区分化して得たバイナリ・マスクを示す。
【００４１】
Ｂスキャンの傾斜が判定したら、Ｂスキャンの所望の傾斜を提供する最適な瞳孔進入位置を、使用する瞳孔進入位置として選択することができる。凝視追尾システムの網膜追尾部分は、瞳孔進入位置とは関係なく、網膜の同一の領域にかけてＢスキャンを取得する上で役立つことに留意されたい。そのため、本発明にて述べている方法を、２０１２年３月２８に提出され、共同所有され係属中である米国出願第１３／４３３，１２７号に述べられているタイプの網膜追尾システムと組み合わせることで、使用者は、関心のある用途についての最適な瞳孔進入位置を利用しながら、特定のスポットにて網膜からのデータを取得できるようになる。
異なる構造物を撮像するための最適な瞳孔進入位置の発見
本発明で説明している方法は、ヘンレ線維層、網膜神経線維層、各種膜、ガラス質構造物、角膜、副ＲＰＥ構造物、脈絡膜などの層を非限定的に含む網膜内の異なる構造物を、ＯＣＴシステムを使用して潜在的により視覚化することへ拡張することもできる。これは、異なる構造物が、対象となる構造物に対する測定ビームの方位に基づいて、ＯＣＴ内で異なって視覚化されるためである。
【００４２】
例えば、ヘンレ線維層は、ＯＣＴビームが同層中の線維に対して垂直であるときに最も良く視覚化される（例えば次を参照されたい。Ｌｕｊａｎ他著「スペクトルドメイン光コヒーレンストモグラフィーを使用するヘンレ線維層の公開（Revealing Henle's Fiber Layer using Spectral Domain Optical Coherence Tomography）」、Investigative Ophthalmology & Visual Science誌、５２（３）巻、２０１１年３月、１４８６〜１４９２頁）。これは、これら線維が光線に対して垂直であるときに、その指向性が最大の散乱を生じさせるためである。この種の作用は、網膜の他の層、例えば網膜神経線維層にも当てはまる。
【００４３】
先述した方法を用いて特定の対象となる領域を視覚化しようとしている時に、その層からの最大信号を最適化することができる（ＡスキャンまたはＢスキャンにおける対象となる信号のおおよその場所がわかっている場合に限る）。また、対象となる組織に最良の信号をもたらす幾何学的配勾に基づいて、瞳孔位置を選択することも可能である。さらに、診察毎に毎回、瞳孔の同じ場所を撮像することにより、撮像された任意の指向性反射層の強度における変動を少なくすることにつながる。ＲＮＦＬのような層の定量的区分化は、指向性反射率によって影響を受けることがあるため、瞳孔進入点が診察毎に変動すると、定量測定の変動も増してしまう。毎回の診察で共通の瞳孔進入点を使用すれば、こうした測定の再現性が増加するはずである。複数の品質測定の関数である品質基準を使用したり（例えば、Ｑ＝信号対雑音比×均一性の尺度、またはＳＮＲ＊（１−傾斜））、あるいは、最適化する品質基準を選択するための１組の規則を実施したりする（例えば、平面画像を得るために、最大で３ｄＢまでの信号損失を許容するが、これ以上は許容しない）ことも可能である。
【００４４】
したがって、本発明において述べられた方法を使用することで、特定の対象となる構造を撮像するための最良の瞳孔進入位置を選択できるようになる。次に、本発明のこの態様の詳細な説明を述べる。
角度依存的な層コントラスト
上述した瞳孔追尾システムの態様の多くを使用する一実施形態では、網膜ＯＣＴ画像は瞳孔の複数の点を介して取得される。患者の瞳孔に関連したＯＣＴビームの動作を自動化することで、測定可能で、好ましくは事前に決定された、患者の瞳孔における各位置の取得が可能になる。動作は様々な手段によって達成でき、これには例えば、機器を患者の眼に関連して移動させること、光学サブシステムのような機器の一部を平行移動させること、傾斜させたガラス塊を経路内外に動かして得たビームを移動させることで、患者の眼を機器に関連して移動させることにより達成できる。手動による調整は、例えば動作範囲が事前設定された回転止め位置または手操作式レバーのような、典型的な物理的制約によって規制または誘導することができる。相対入射角を、瞳孔内での移動距離を典型的な眼の焦点距離で割った比率から、あるいは、眼軸長測定や、眼の長さに対する屈折異常の相関性からの推測などの手頃な方法によって得た、個々の眼の長さを説明することで決定できる。患者の瞳孔に関連した実動作は、患者の頭部または機器の動作を測定することで概算できる。典型的な眼科ＯＣＴシステムでは、例えば共通の線維を使用して、この線維の照明と収集が共同整列する。この事例では、入射角と収集が共に変化する。照明と収集が共同整列しないシステムでは、当業者に明白である方法を用いて、角度を、相互に無関係に変化させることができる。さらに、同時測定に複数の照明経路または収集経路を実施することができる。本明細書では、説明の明瞭化する目的で、また、これが最も一般的な形態であることから、照明と収集の共同整列を仮定して実施形態を説明しているが、しかし、必ずしも共同整列が必要なわけではない。
【００４５】
複数の入射角を含んだ複数の画像を得たら、いくつかの方法によってこれらの画像を相互に比較することができ、例えば、画像に画像ベースレジストレーションを施した後に、差分画像または比率画像を作成できる。あるいは、画像上のマッチングポイントにおいて、深度の関数としての散乱プロファイルを抽出し、これらを比較することができる。いずれの場合にも、比較には、バックグラウンド除去、ゲイン調整（例えば、走査間での総合的な明るさにおける変動の補正）、フィルタリング、アベレージングといった、雑音を少なくし、総括的なパラメータを作成するデータの事前処理を含んでいてよい。
【００４６】
散乱信号は入射角によって異なるので、層を区分化するアルゴリズムは、層境界を正確に識別するために、１つ以上の層のローカルな入射角に関する情報を使用することができる。これは、例えば、概して網膜色素上皮層と外網状層（ＲＰＥとＯＰＬ）の間として説明される領域において示されている。この領域内では、明るい層と暗い層の間の境界は入射角によって異なる。上述したように、入射角が変化すると、Ｂスキャンにおける網膜の見掛けの傾斜が変化する。
【００４７】
図１３（ａ）、図１３（ｂ）は、２つのＯＣＴ画像を示す。これらの画像は両方とも同じ位置で、しかし網膜への入射角を変えて得たものである。図１３（ａ）は、直角の片側から約５〜１０度の走査ビームによって取り込まれ、図１３（ｂ）は、直角の反対側から、図１３（ａ）と類似した角度の走査ビームによって取り込まれている。２つの画像は、測定によって相互に記録された後、Ｂスキャンにおいて、傾斜の差と、組織の相対位置の差とを補正される。「ＲＰＥ」と「ＯＰＬ」の間の散乱は、網膜の、入射光から網膜中心窩よりも遠く見える側において増加する（つまり、矢印１３０１で示す図１３（ａ）左側と、矢印１３０２で示す図１３（ｂ）の右側）。網膜中心窩の反対側では、散乱は減少し、より薄い膜から発生しているように見える（矢印１３０１、１３０４）。したがって、効果を生じさせるのは組織の非対称性ではなく、入射角である。Ｌｕｊａｎ他が説明しているように、この散乱が増加した層はヘンレ線維層（ＨＦＬ）の属性である。この領域では、アルゴリズムは、入射角が領域を厚く見せる場合には、明るい帯と暗い帯との間の境界を、１対の層間の遷移によるものとし、入射角が領域を薄く見せる場合には、これを別の対の層間の遷移によるものとする。アルゴリズムは、この相対入射角に関する情報を、瞳孔内のＯＣＴ走査ビームの位置に関する情報、または、Ｂスキャンにおける、全体的または局所的に測定された網膜の傾斜を含む様々な手段から取得することができる。或る局所組織層が歪み、その方位が網膜の大部分のものと実質的に異なっている網膜疾患の事例では、傾斜の局所測定の方がより適切であることがある。
【００４８】
いくつかの事例では、強度の勾配が角度に応じて異なっている場合であっても、関心のある層を全ての角度から観察することができる。他の事例では、所与の入射角で撮像されると、関心のある層が分化されないことがある。図１３ではＲＰＥの上に層があり、これは図１３（ａ）では明瞭に見ることができるが、図１３（ｂ）では、矢印１３０５で示すようには見えない。この層は、ＲＰＥと光レセプタの内部区間との相互嵌合を表す。この層が関心のある層である場合には、これを撮像できる角度を探す必要がある。あるいは、ＨＦＬの境界が図１３（ａ）と図１３（ｂ）の両方に見ることができるが、その強度特徴は非常に異なる。この層を区分化する場合は、線維に対するローカルな入射角がわかれば十分である。最後に、入射角とその組織反射性への影響とがわかると、反射性が、測定対象である解剖構造または病状の有用な態様となる。つまり、反射性が変化し易く、未知の入射角に依存する場合には、或る組織が、画質が悪くて見えないのか、または欠損しているのかの判断が難しい。画像設定に依存する因子が制御されていれば、反射性が、所与の組織が健康か病気に侵されているかを判断する有用な指標となる。この例には緑内障損傷の検出が含まれるが、この検出は、剥離の性質または原因を判断するために、色素上皮剥離の内容の反射性を用いて、網膜神経線維層の反射性の低下を評価することと、網膜破壊を評価するために外顆粒層で観察された反射性を使用することとによって行う。
【００４９】
ＯＣＴ画像は様々な光学構成部によって取得できるが、この光学構成部にはとりわけ、専用ＯＣＴスキャナ、ＳＬＯ装置、外科用顕微鏡経由、細隙灯搭載ＯＣＴが含まれる。上述した文章は、入射角を変更するには、ビームを瞳孔に関連して移動させなければならないと明確に記述している。図１４は、１つの例示的なアプローチを示すことで、これをさらに明らかにしている。走査ビーム３３は眼に関連して移動される。この実施形態では、例えば単に走査ヘッドの一部、機器全体、または、走査ビームの位置を制御する機器の何らかのサブセットであってよい測定モジュール３０が、方向３１に沿って平行移動することで、ビームが眼に関連して移動できる。ここでは、これを、後極３４を走査するための眼の近似軸３７として示している。進入点は瞳孔境界３５によって制限される。これは、図面の平面に対して垂直な平面３２においても行うことができる。ビーム位置から相対入射角を決定する一例は、ＣＣＤカメラのような手段によって、瞳孔３５に関連したビーム３３の位置を検出するものである。動作は、瞳孔境界３５に関連したビーム３３の位置が変化する限り、必ずしも測定モジュール３０の純粋な平行移動である必要はない。測定モジュール３０から瞳孔境界３５までの距離が十分に長い場合には、瞳孔平面のビームの位置を移動させるべく、測定モジュール３０を回転させて網膜における入射角を僅かに変化させるだけで、瞳孔境界３５におけるビーム位置を変化させることができる。
【００５０】
この方法は、Ｃｉｒｒｕｓ  ＯＣＴ（カールツァイスメディテック株式会社（Carl Zeiss Meditec, Inc.）、カリフォルニア州ダブリン）を使用して、こうした測定を行うために用いられてきた。画像は、画像レジストレーションと強度プロファイルの比較との両方によって、いくつかの方法で分析されてきた。図１５は、網膜の同じ領域から、しかし、上述した瞳孔のビーム位置の計算に基づいて約１５度異なった入射角で撮影された、２つの別個のＢスキャンからの強度プロファイルのプロットを示す。プロット中に、一般に内境界膜（ＩＬＭ）１、網膜色素上皮（ＲＰＥ）層２と呼ばれる特徴が示されている。組織上への走査ビームの入射角が異なるため、２つの走査間で散乱強度が異なっている。例えば、点３では散乱強度の方が高い。
【００５１】
上述したように、画像間の強度も比較でき、これは例えば、図１６に示すように相互から２つのプロファイルを差し引くことで行える。位置２１、２２、２３はそれぞれ、図１５中の位置１、２、３に対応する。２つのプロファイル間の差は、入射角が異なるために、測定雑音、レジストレーションエラー、繰り返し可能な差分によって引き起こされる。例えば、領域２３は、入射角の差により存在する。この差分を対比機構として用いることで、対比が変化する組織の厚さ２４の測定が可能である。
【００５２】
これと類似する分析を、ＯＣＴ  Ｂスキャン全体上で実施できる。図１７は、図１３（ａ）、図１３（ｂ）に示した２つの走査を互いから差し引いて生じた結果の差画像を示す。この差画像は、矢印１７０１で示すように、ＯＣＴスキャンの入射角による散乱の差を強調する。
【００５３】
差画像は、色のように多様性を持つもので表すことができる。モノクロの図では、画像を逆順序で差し引いて形成されたネガ画像も有用である。図１８は、図１７では見難い領域を明瞭に視覚化する様子を示しており、その一例を矢印１７０２で指し示している。
【００５４】
好ましい実施形態は、複数の入射角にてＯＣＴ画像を収集し、画像を相互に対して記録し、Ｂスキャンの差し引きまたは強度分布のいずれかによって処理して、角度依存強度を持った特定層の厚さを識別および決定するという工程の自動化を包括するものである。
オパシティマッピング
本発明のさらなる態様は、患者の瞳孔のオパシティマップを臨床医に提供する機能である。オパシティマップは、白内障のような混濁領域を強調し、さらに混濁の「濃さ」について洞察する。
【００５５】
本発明の主要成分は、眼の画像を取得する撮像手段、瞳孔の境界を区分化する処理ユニット、眼の凝視を追尾するユニット、瞳孔を通って光学ビームを送ることで、眼の何らかの特性を測定する測定ユニットである。本発明は一般的なものであるため、あらゆるタイプの瞳孔区分化および凝視追尾と協働することができる。
【００５６】
第１ステップでは、瞳孔の境界を区分化する。この瞳孔の区分化を用いて、瞳孔上の異なる点を通るビームの測定を自動的に実施することができる。その結果得られた信号を分析して、測定信号の品質を見付けることができる。例えば、ＯＣＴシステムでは、この品質は、取得したＯＣＴ  ＡスキャンまたはＢスキャンの信号強度であってよい。通常、測定信号の品質は混濁と逆比例する。ビーム進入位置は格子上で変化でき、また、対応するビーム進入位置において測定信号の品質は混濁と対応するので、混濁のマッピングが得られる。図１９に、このようなマッピングの一例を示す。画像の上部右に見える右暗い陰影１９０１は、混濁度が高いことを意味する。
【００５７】
本明細書では、本発明の技術を採用した様々な実施形態を示し、詳細に説明してきたが、当業者は、やはりこれらの技術を採用したこれ以外の多くの変形実施形態を容易に考案することができる。
【図２】
0006040224.tif 000006
【図４】
0006040224.tif 000007
【図５】
0006040224.tif 000008
【図６】
0006040224.tif 000009
【図７】
0006040224.tif 000010
【図１１】
0006040224.tif 000011
【図１２】
0006040224.tif 000012
【図１３（ａ）】
0006040224.tif 000013
【図１３（ｂ）】
0006040224.tif 000014
【図１４】
0006040224.tif 000015
【図１７】
0006040224.tif 000016
【図１８】
0006040224.tif 000017
【図１９】
0006040224.tif 000018
【図１】
0006040224.tif 000019
【図３】
0006040224.tif 000020
【図８】
0006040224.tif 000021
【図９】
0006040224.tif 000022
【図１０】
0006040224.tif 000023
【図１５】
0006040224.tif 000024
【図１６】
0006040224.tif 000025